(57)【特許請求の範囲】
【請求項１】
入口側からの絶縁ガスを、真空ポンプを介して圧縮機側と連結される出口側に送る主回路と、真空ポンプのバイパス回路とを備えると共に、入口側のガス圧力を検知し、圧力が所定より高いとき主回路をバイパスさせてバイパス回路に切り換え、低いとき主回路の真空ポンプに切り換える流路切換手段と、真空ポンプをブラインにより冷却するポンプ冷却手段とを備え、さらに該ポンプ冷却手段が、真空ポンプに設けられた熱交換器と、ブラインタンクと、ブラインタンク内の液を冷却する冷凍機と、ブラインタンク内の冷却液を熱交換器に供給するブライン循環路とからなることを特徴とする絶縁ガス回収用真空ポンプユニット。
【請求項２】
絶縁ガス封入機器と連結する入口側接続口と、圧縮機側と連結する出口側接続口との間に、圧力調整弁、真空ポンプ、クッションタンクが接続される主回路と、主回路の真空ポンプをバイパスするバイパス回路と、入口側からのガスを主回路又はバイパス回路の一方に流すように切り換える流路切換弁と、入口側のガス圧力を検出し、所定圧力より高いときバイパス回路へ、低いときは主回路に切り換える流路切換弁を制御する圧力検知手段と、真空ポンプをブラインで冷却するポンプ冷却手段とを備え、さらに該ポンプ冷却手段が、真空ポンプに設けられた熱交換器と、ブラインタンクと、ブラインタンク内の液を冷却する冷凍機と、ブラインタンク内の冷却液を熱交換器に供給するブライン循環路とからなり、これらを同一のケーシング内に収容したことを特徴とする絶縁ガス回収用真空ポンプユニット。
【請求項３】
ケーシング内の底部に真空ポンプ、冷却手段のブラインタンク、クッションタンクを配置し、上部にポンプ冷却手段の冷凍機、ケーシングの前面に、制御盤を配置した請求項２記載の絶縁ガス回収用真空ポンプユニット。
【発明の詳細な説明】
【０００１】
【発明の属する技術分野】
本発明は、ＳＦ６ガス等の絶縁ガスをトランス等の絶縁ガス封入機器から回収するための絶縁ガス回収用真空ポンプユニットに関するものである。
【０００２】
【従来の技術】
ＳＦ６（六フッ化イオウ）ガスは、耐熱性、電気絶縁性に優れておりトランス等の封入機器内に絶縁ガスとして封入されるが、封入機器の補修や点検などの際には、封入機器から回収する必要がある。
【０００３】
従来のＳＦ６ガス回収装置は、トランス等の封入機器内の絶縁ガスを真空ポンプを用いて吸引するものである。この真空ポンプは、油回転式の大排気量の真空ポンプや空冷式の真空ポンプが使用されている。
【０００４】
【発明が解決しようとする課題】
しかしながら、油回転式の真空ポンプは、油にＳＦ６ガスが混入する問題があり、空気冷却式では、収納容器の関係から、大きな容量の装置を使用できないため、小排気量のものしか使用できないため、大気圧以下のガス回収に時間がかかる問題がある。
【０００５】
また水冷式の真空ポンプもあるが、このポンプは水道水等の冷却水配管が必要であり、場所によっては水道水を確保できない問題がある。
【０００６】
そこで本発明は、上記課題を解決し、水道水等の冷却水源がなくても真空ポンプを効果的に冷却できる絶縁ガス回収用真空ポンプユニットを提供することを目的とする。
【０００７】
【課題を解決するための手段】
上記目的を達成するために、請求項１の発明は、入口側からの絶縁ガスを、真空ポンプを介して圧縮機側と連結される出口側に送る主回路と、真空ポンプのバイパス回路とを備えると共に、入口側のガス圧力を検知し、圧力が所定より高いとき主回路をバイパスさせてバイパス回路に切り換え、低いとき主回路の真空ポンプに切り換える流路切換手段と、真空ポンプをブラインにより冷却するポンプ冷却手段とを備え、さらに該ポンプ冷却手段が、真空ポンプに設けられた熱交換器と、ブラインタンクと、ブラインタンク内の液を冷却する冷凍機と、ブラインタンク内の冷却液を熱交換器に供給するブライン循環路とからなる絶縁ガス回収用真空ポンプユニットである。
【００１１】
請求項２の発明は、絶縁ガス封入機器とを連結する入口側接続口と、圧縮機側とを連結する出口側接続口との間に、圧力調整弁、真空ポンプ、クッションタンクが接続される主回路と、主回路の真空ポンプをバイパスするバイパス回路と、入口側からのガスを主回路又はバイパス回路の一方に流すように切り換える流路切換弁と、入口側のガス圧力を検出し、所定圧力より高いときバイパス回路へ、低いときは主回路に切り換える流路切換弁を制御する圧力検知手段と、真空ポンプをブラインで冷却するポンプ冷却手段とを備え、さらに該ポンプ冷却手段が、真空ポンプに設けられた熱交換器と、ブラインタンクと、ブラインタンク内の液を冷却する冷凍機と、ブラインタンク内の冷却液を熱交換器に供給するブライン循環路とからなり、これらを同一のケーシング内に収容した絶縁ガス回収用真空ポンプユニットである。
【００１２】
請求項３の発明は、ケーシング内の底部に真空ポンプ、冷却手段のブラインタンク、クッションタンクを配置し、上部にポンプ冷却手段の冷凍機、ケーシングの前面に、制御盤を配置した請求項２記載の絶縁ガス回収用真空ポンプユニットである。
【００１３】
【発明の実施の形態】
以下、本発明の好適一実施の形態を添付図面に基づいて詳述する。
【００１４】
先ず、図２により絶縁ガス回収用真空ポンプユニットの回路を説明する。
【００１５】
図２に示すように、絶縁ガス封入機器に接続された接続ホース１１Ａと連結する入口側接続口１２Ａと、図示しない圧縮機ユニット側との接続ホース１１Ｂを連結する出口側接続口１２Ｂとの間に、ブラインで冷却するブライン式の真空ポンプ１３、クッションタンク１４、逆止弁１５が接続された主回路１６が設けられ、真空ポンプ１３とクッションタンク１４の間の主回路１６と並行にバイパス回路１７が接続される。
【００１６】
この主回路１６とバイパス回路１７の分岐部には、それぞれ流路切換電磁弁１８ａ，１８ｂが接続されて流路切換手段１８が構成され、その上流側に絶縁ガスの圧力を検出する圧力計２０と、その検出ガス圧力によりバイパス回路１７と主回路１６を切り換えるべく流路切換電磁弁１８ａ，１８ｂを開閉するための制御手段として圧力スイッチ２１が設けられる。
【００１７】
真空ポンプ１３の上流側の主回路１６には、主回路１６が異常高圧となったときに開放する安全弁２３が接続される。
【００１８】
真空ポンプ１３には、並列に圧力バランス用電磁弁２５が接続され、さらに真空ポンプ１３と並行に、真空ポンプ１３へ送られるガスの圧力が所定以上となったとき開いてガスをバイパスさせる圧力調整弁２７が接続される。
【００１９】
真空ポンプ１３には、ポンプ冷却手段２８が接続される。
【００２０】
このポンプ冷却手段２８は、真空ポンプ１３に設けた熱交換器２９と、ブラインタンク３０と、ブラインタンク３０内の液を冷却する冷凍機３１と、ブラインタンク３０内の冷却液を熱交換器２９に供給するブライン循環路３２からなる。
【００２１】
冷凍機３１は、ブラインタンク３０内に設けた熱交換コイル３３と冷媒配管３４で接続され、その冷媒配管３４に電磁開閉弁３５が接続されて構成される。
【００２２】
ブライン循環路３２は、ブラインタンク３０と熱交換器２９とを接続し、そのブライン循環路３２にブライン循環ポンプ３７が接続されて構成される。
【００２３】
この図２に示した真空ポンプユニットは、図１に示すようにケーシング１０に収容される。
【００２４】
図１において、（ａ）は平面図であり、（ｂ）は正面図、（ｃ）は右側面図である。
【００２５】
図１（ａ）、（ｂ）、（ｃ）に示すように、ケーシング１０の底部には、真空ポンプ１３、ブラインタンク３０、クッションタンク１４が設置され、上部に冷凍機３１が配置される。
【００２６】
ケーシング１０の前面には、図２で説明した入口側接続口１２Ａと出口側接続口１２Ｂが配置されると共に圧力計２０が配置される。
【００２７】
またケーシング１０の前面には制御盤４０が設けられ、その制御盤４０に運転／停止やリセットなどを行う操作ボタン４２と真空ポンプ１３や冷凍機３１の運転状態、大気圧に対する正圧回収運転や負圧回収運転などを点滅や色で表示する表示ランプ４４が設けられる。
【００２８】
次に図２により、回収運転を説明する。
【００２９】
トランスなどの絶縁ガス封入機器からの絶縁ガスを回収する際には、接続ホース１１Ａを封入機器に接続し、その接続ホース１１Ａを入口側接続口１２Ａに連結する。また出口側接続口１２Ｂは接続ホース１１Ｂにて圧縮ユニット（図示せず）に接続する。
【００３０】
制御電源がＯＮとなり、絶縁ガスが入口側接続口１２Ａから主回路１６に流入して回収運転を行うが、この回収運転初期は、封入機器内のガス圧が高いため、制御手段である圧力スイッチ２１で、流路切換手段１８のバイパス回路１７側の流路切換電磁弁１８ｂを開、主回路１６側の流路切換電磁弁１８ａを閉として、回収ガスをバイパス回路１７に流れるようになし、そのガスを出口側接続口１２Ｂより圧縮機ユニット側に流して正回収運転を行う。
【００３１】
その後、ガス圧が設定圧、例えば大気圧近くまで下がったなら、流路切換手段１８にて、主回路１６側に切り換え、真空ポンプ１３の吸引力により、封入機器内の絶縁ガスを吸い込み、圧縮して出口側接続口１２Ｂより圧縮機ユニット側に流して負圧回収運転を行う。
【００３２】
この正負回収運転の状況は、図１（ｂ）に示した制御盤４０の表示ランプ４４にて確認することができる。
【００３３】
この回収運転中、冷凍機３１にてブラインタンク３０の液が冷却され、その冷却液が、真空ポンプ１３の熱交換器２９に流されて真空ポンプ１３が冷却され、その発熱を抑えることができる。
【００３４】
なお圧縮機ユニットに送られた回収ガスは、圧縮され、その後、液化ユニットで冷却されて液化され、貯留タンクに貯蔵される。この貯留タンクに貯蔵された回収液は、その後、気化ユニットにて加熱されてガス化されて、封入機器に戻されることとなる。
【００３５】
【発明の効果】
以上要するに本発明によれば、トランス等の絶縁ガス封入機器から絶縁ガスを回収するにおいて、真空ポンプに、真空ポンプを冷却する熱交換器、ブラインタンク、ブラインタンク内の冷却液を冷却する冷凍機、及び冷却液を循環するブライン循環路からなるブライン式のポンプ冷却手段を設けることで、水道水等の冷却水源がなくても、移動可能なユニットとすることができると共に設定圧力により正圧回収と真空ポンプを用いた負圧回収を自動運転できるので操作性がよい。
【図面の簡単な説明】
【図１】本発明の一実施の形態を示す真空ポンプユニットの外観図である。
【図２】本発明の一実施の形態を示す真空ポンプユニットの回路図である。
【符号の説明】
１３  真空ポンプ
１６  主回路
１７  バイパス回路
１８  流路切換手段
２８  ポンプ冷却手段
３１  冷凍機
【図１】
0003600723.tif 000002
【図２】
0003600723.tif 000003